(57)【要約】【課題】本体部（第一部材若しくは第二部材）に対して重合部（第二部材若しくは第一部材）を直交二方向にスライド移動させることができ、縦画面機能使用時に使用する通常の操作部だけでなく、横画面機能に適した別操作部を露出させることが可能となるスライド装置並びにこのスライド装置を用いた電子機器を提供すること。【解決手段】薄厚形状に形成したベース体３の下部若しくは上部に、第一部材１に連結する第一スライド体４をこのベース体３に対して一方向にスライド移動自在に設け、ベース体３の上部若しくは下部に第二部材２に連結する第二スライド体５をこのベース体３に対し第一スライド体４のスライド移動方向と直交する他方向にスライド移動自在に設ける。【選択図】図１
2008283272.tif 000002
【特許請求の範囲】
【請求項１】
第一部材とこの第一部材に重合配設した第二部材とを互いの重合面方向にスライド移動自在に連結するスライド装置であって、薄厚形状に形成したベース体の下部若しくは上部に、前記第一部材に連結する第一スライド体をこのベース体に対して一方向にスライド移動自在に設け、前記ベース体の上部若しくは下部に前記第二部材に連結する第二スライド体をこのベース体に対し前記第一スライド体のスライド移動方向と直交する他方向にスライド移動自在に設けて、第一スライド体をベース体に対してスライド移動させることで前記第一部材に対して前記第二部材を前記一方向にスライド移動し得、且つ第二スライド体をベース体に対してスライド移動させることで前記第一部材に対して前記第二部材を前記他方向にスライド移動し得るように構成したことを特徴とするスライド装置。
【請求項２】
略長方形板状の第一部材とこの第一部材に重合配設した略長方形板状の前記第二部材とを互いの重合面方向にスライド移動自在に連結するスライド装置であって、前記第一スライド体を前記ベース体に対してスライド移動させることにより、前記第一部材に対し前記第二部材を前記一方向にスライド移動させて第一部材と第二部材との重合面がこの第一部材と第二部材の長さ方向の延長方向若しくは短方向の延長方向へ露出する状態と、前記第二スライド体を前記ベース体に対してスライド移動させることにより、前記第一部材に対して前記第二部材を前記他方向にスライド移動させて第一部材と第二部材との重合面がこの第一部材と第二部材の短方向の延長方向若しくは長さ方向の延長方向へ露出する状態とを切り替え操作し得るように構成したことを特徴とする請求項１記載のスライド装置。
【請求項３】
前記ベース体と前記第一スライド体とのいずれか一方若しくは双方に、このベース体の下部若しくは上部に沿設配設した第一スライド体をベース体に対して一方向にスライド移動可能にガイドする第一ガイド部を設け、前記ベース体と前記第二スライド体とのいずれか一方若しくは双方に、このベース体の上部若しくは下部に沿設配設した第二スライド体をベース体に対して前記第一スライド体のスライド移動方向と直交する他方向にスライド移動可能にガイドする第二ガイド部を設けた構成としたことを特徴とする請求項１，２のいずれか１項に記載のスライド装置。
【請求項４】
少なくとも前記ベース体の下側若しくは上側に、このベース体の下方若しくは上方に沿設配設した前記第一スライド体をこのベース体に対して一方向にスライド移動可能にガイドする第一ガイド部を設け、少なくともこのベース体の上側若しくは下側に、このベース体の上方若しくは下方に沿設配設した前記第二スライド体をこのベース体に対して前記第一ガイド部による第一スライド体の一方向スライド移動と直交する他方向にスライド移動可能にガイドする第二ガイド部を設けた構成としたことを特徴とする請求項１〜３のいずれか１項に記載のスライド装置。
【請求項５】
前記第一ガイド部は、ガイドレール部を前記ベース体若しくは前記第一スライド体に設けると共に、このガイドレール部にスライド自在に係合するスライド係合部を第一スライド体若しくはベース体に設けた構成とし、前記第二ガイド部は、ガイドレール部を前記ベース体若しくは前記第二スライド体に設けると共に、このガイドレール部にスライド自在に係合するスライド係合部を第二スライド体若しくはベース体に設けた構成としたことを請求項３，４のいずれか１項に記載のスライド装置。
【請求項６】
操作部を備えた本体部と、ディスプレイ部を備えた重合部とを、前記操作部を操作しないときにはこの操作部を覆うように重合配設し、この重合した状態から前記重合部を相対的に重合面に対して略平行にスライド移動して操作部を露出させることができるように前記本体部と前記重合部とを連結するスライド装置を有し、このスライド装置には、前記本体部を前記第一部材若しくは前記第二部材とし、前記重合部を前記第二部材若しくは前記第一部材とした請求項１〜５のいずれか１項に記載のスライド装置を用いた構成とし、前記第一スライド体を前記ベース体に対してスライド移動させることで前記本体部に対して前記重合部を一方向に相対的にスライド移動して本体部の第一操作部を露出させ、且つ前記第二スライド体を前記ベース体に対してスライド移動させることで前記本体部に対して前記重合部を前記一方向と直交する他方向にスライド移動して本体部の第二操作部を露出させることができるように構成したことを特徴とするスライド装置を用いた電子機器。
【発明の詳細な説明】
【技術分野】
【０００１】
本発明は、例えば本体部と重合部とを重合面方向にスライド移動自在に重合連結し、互いに重合した閉塞状態から重合部をスライドさせて開放状態とすることができるスライド装置並びにこのスライド装置を用いた携帯電話，モバイルなどの電子機器に関するものである。
【背景技術】
【０００２】
従来から、例えば数字キーやファンクションキーを配列した操作部を本体部の上面側に設け、所定の表示がなされる液晶パネルなどのディスプレイ部を、前記本体部に重合する重合部の上側面に設け、この本体部と重合部とを前後方向に相対的に移動する構造のスライド式の携帯電話が実施されており、このスライド式の携帯電話によれば、折り畳み式の携帯電話のように本体部に対して重い重合部を回動操作しなくとも、重合部が本体部に重合したままの状態でディスプレイ部の表示を確認することができ、また、操作部の数字キーやファンクションキーを操作したい場合には、本体部と重合部とを単にスライド移動させるだけで操作部を容易に操作できるという利点がある。
【０００３】
このようなスライド式の携帯電話には、本体部と重合部とをスライド自在に連結するスライド装置が用いられるが、従来のこの種スライド装置は、例えば重合部の左右にガイドレール部を設け、この左右のガイドレール部にスライド係合するスライド部を、本体部の左右に設け、ガイドレール部に対してスライド部がスライド移動することで、重合部と本体部とをスライド移動自在となるように構成している（例えば、特許文献１参照。）。
【０００４】
【特許文献１】特開２００４−１８６８５４号公報
【発明の開示】
【発明が解決しようとする課題】
【０００５】
ところで、最近の携帯電話は、様々なモバイル機能やワンセグ機能などが盛り込まれて多機能化・高機能化が進んできているが、これらの多様な機能の中にはディスプレイ部をこれまで通りの縦長の画面（縦画面）だけでなく、ディスプレイ部を横にした横長の画面（横画面）にして使用したい機能も多く、このような要望から一部機能を横画面にして使用できるようにした機種も増えてきている。
【０００６】
しかしながら、一般的な携帯電話は、通常の表示が縦画面でなされるスタイルが定着しており、操作部はこの縦画面表示を見ながら操作し易い位置、即ち縦画面にしたディスプレイ部の下方に設けるあるいは下方に位置させることができるようにする必要があるため、ディスプレイ部を横画面にして使用する場合には、ディスプレイ部の横方向に位置することとなる操作部を操作しにくくなってしまう。
【０００７】
また、横画面機能使用時の操作キーを、通常の配列のキーに割り当てることは技術的には可能であるが、このようにすることで非常に操作性が悪くなってしまう場面も多々あると推測されるため、特に横画面機能使用時には、横画面使用に適した別操作部を使用可能となるような筐体構造が要望されている。
【０００８】
本発明は、このような要望を満たすためのもので、本体部（第一部材若しくは第二部材）に対して重合部（第二部材若しくは第一部材）を二方向にスライド移動させることができ、縦画面機能使用時に使用する通常の操作部だけでなく、横画面機能に適した別操作部を露出させることが可能となる画期的なスライド装置並びにこのスライド装置を用いた電子機器を提供するものである。
【課題を解決するための手段】
【０００９】
添付図面を参照して本発明の要旨を説明する。
【００１０】
第一部材１とこの第一部材１に重合配設した第二部材２とを互いの重合面方向にスライド移動自在に連結するスライド装置Ｓであって、薄厚形状に形成したベース体３の下部若しくは上部に、前記第一部材１に連結する第一スライド体４をこのベース体３に対して一方向にスライド移動自在に設け、前記ベース体３の上部若しくは下部に前記第二部材２に連結する第二スライド体５をこのベース体３に対し前記第一スライド体４のスライド移動方向と直交する他方向にスライド移動自在に設けて、第一スライド体４をベース体３に対してスライド移動させることで前記第一部材１に対して前記第二部材２を前記一方向にスライド移動し得、且つ第二スライド体５をベース体３に対してスライド移動させることで前記第一部材１に対して前記第二部材２を前記他方向にスライド移動し得るように構成したことを特徴とするスライド装置に係るものである。
【００１１】
また、略長方形板状の第一部材１とこの第一部材１に重合配設した略長方形板状の前記第二部材２とを互いの重合面方向にスライド移動自在に連結するスライド装置Ｓであって、前記第一スライド体４を前記ベース体３に対してスライド移動させることにより、前記第一部材１に対し前記第二部材２を前記一方向にスライド移動させて第一部材１と第二部材２との重合面がこの第一部材１と第二部材２の長さ方向の延長方向若しくは短方向の延長方向へ露出する状態と、前記第二スライド体５を前記ベース体３に対してスライド移動させることにより、前記第一部材１に対して前記第二部材２を前記他方向にスライド移動させて第一部材１と第二部材２との重合面がこの第一部材１と第二部材２の短方向の延長方向若しくは長さ方向の延長方向へ露出する状態とを切り替え操作し得るように構成したことを特徴とする請求項１記載のスライド装置に係るものである。
【００１２】
また、前記ベース体３と前記第一スライド体４とのいずれか一方若しくは双方に、このベース体３の下部若しくは上部に沿設配設した第一スライド体４をベース体３に対して一方向にスライド移動可能にガイドする第一ガイド部６を設け、前記ベース体３と前記第二スライド体５とのいずれか一方若しくは双方に、このベース体３の上部若しくは下部に沿設配設した第二スライド体５をベース体３に対して前記第一スライド体４のスライド移動方向と直交する他方向にスライド移動可能にガイドする第二ガイド部７を設けた構成としたことを特徴とする請求項１，２のいずれか１項に記載のスライド装置に係るものである。
【００１３】
また、少なくとも前記ベース体３の下側若しくは上側に、このベース体３の下方若しくは上方に沿設配設した前記第一スライド体４をこのベース体３に対して一方向にスライド移動可能にガイドする第一ガイド部６を設け、少なくともこのベース体３の上側若しくは下側に、このベース体３の上方若しくは下方に沿設配設した前記第二スライド体５をこのベース体３に対して前記第一ガイド部６による第一スライド体４の一方向スライド移動と直交する他方向にスライド移動可能にガイドする第二ガイド部７を設けた構成としたことを特徴とする請求項１〜３のいずれか１項に記載のスライド装置に係るものである。
【００１４】
また、前記第一ガイド部６は、ガイドレール部６Ａを前記ベース体３若しくは前記第一スライド体４に設けると共に、このガイドレール部６Ａにスライド自在に係合するスライド係合部６Ｂを第一スライド体４若しくはベース体３に設けた構成とし、前記第二ガイド部７は、ガイドレール部７Ａを前記ベース体３若しくは前記第二スライド体５に設けると共に、このガイドレール部７Ａにスライド自在に係合するスライド係合部７Ｂを第二スライド体５若しくはベース体３に設けた構成としたことを請求項３，４のいずれか１項に記載のスライド装置に係るものである。
【００１５】
また、操作部８を備えた本体部と、ディスプレイ部９を備えた重合部とを、前記操作部８を操作しないときにはこの操作部８を覆うように重合配設し、この重合した状態から前記重合部を相対的に重合面に対して略平行にスライド移動して操作部８を露出させることができるように前記本体部と前記重合部とを連結するスライド装置Ｓを有し、このスライド装置Ｓには、前記本体部を前記第一部材１若しくは前記第二部材２とし、前記重合部を前記第二部材２若しくは前記第一部材１とした請求項１〜５のいずれか１項に記載のスライド装置Ｓを用いた構成とし、前記第一スライド体４を前記ベース体３に対してスライド移動させることで前記本体部に対して前記重合部を一方向に相対的にスライド移動して本体部の第一操作部８Ａを露出させ、且つ前記第二スライド体５を前記ベース体３に対してスライド移動させることで前記本体部に対して前記重合部を前記一方向と直交する他方向にスライド移動して本体部の第二操作部８Ｂを露出させることができるように構成したことを特徴とするスライド装置を用いた電子機器に係るものである。
【発明の効果】
【００１６】
本発明は上述のように構成したから、第一部材に対して第二部材を異なる直角二方向へスライド移動させることができ、これにより例えば、操作部を備えた略長方形状の本体部と、長方形状のディスプレイ部を備えた略長方形状の重合部とを、前記操作部を操作しないときにはこの操作部を覆うように重合配設し、この重合した状態から前記重合部を本体部の長さ方向に沿って相対的に重合面に対して略平行にスライド移動して操作部を露出させることができるようにした携帯電話などの電子機器の、前記本体部（第一部材若しくは第二部材）と前記重合部（第二部材若しくは第一部材）とを連結するスライド装置として本発明のスライド装置を採用することで、例えば、本体部に対して重合部を一方向へスライド移動させた際には、電話機能などを使用するための通常の操作部が露出し、本体部に対して重合部を他方向へスライド移動させた際には、他の機能を使用するための特別な操作部が露出するような二通りの使用態様を選択して使用することができる構造の電子機器を実現することができ、これにより、例えば、長方形状のディスプレイ部の長さ方向の延長方向に操作部が露出して、縦長のディスプレイ部の下方に数字キーなどの操作部が位置することになる電話機能などの操作に適した使用態様（縦長画面表示時）と、長方形状のディスプレイ部の長さ方向と直交する短方向の延長方向に操作部が露出して横長のディスプレイ部の下方にワンセグ視聴時の操作キーやキーボードなどの操作部が位置することになるワンセグ視聴やキーボードタイピングなどの操作に適した使用態様（横長画面表示時）とを、切り替えて使用できるようなスライド開閉式の電子器機を簡易に設計実現可能となる秀れたスライド装置となり、しかも本発明は、ベース体を薄厚形状に形成しているため、薄厚なスライド装置を実現可能で、重合配設する第一部材と第二部材で成る全体の厚みを薄厚に設計することも容易に可能となるなど、極めて実用性に秀れた画期的なスライド装置となる。
【００１７】
また、請求項２記載の発明においては、例えば、縦画面用の操作部と横画面用の操作部とを切り替えて使用できるような筐体構造のスライド装置を用いた電子機器を簡易に設計実現可能となる一層実用性に秀れた構成のスライド装置となる。
【００１８】
また、請求項３，４記載の発明においては、本発明のスライド装置を簡易に設計実現可能となる一層実用性に秀れた構成となる。
【００１９】
また、請求項５記載の発明においては、前記作用・効果を確実に発揮する第一ガイド部並びに第二ガイド部を簡易に設計実現可能となる一層実用性に秀れた構成のスライド装置となる。
【００２０】
また、請求項６記載の発明においては、前記作用・効果を発揮する極めて実用性に秀れた画期的なスライド装置を用いた電子機器となる。
【発明を実施するための最良の形態】
【００２１】
好適と考える本発明の実施形態（発明をどのように実施するか）を、図面に基づいて本発明の作用を示して簡単に説明する。
【００２２】
本発明のスライド装置Ｓによれば、第一スライド体４がベース体３に対して一方向にスライド移動することで、第一部材１に対して第二部材２が相対的に一方向にスライド移動し、また、第二スライド体５がベース体３に対してスライド移動することで、第一部材１に対して前記第二部材２が相対的に前記一方向へのスライド移動方向と直交する他方向にスライド移動することになる。
【００２３】
即ち、第一部材１に対して第二部材２を異なる直交二方向にスライド移動させることができる。
【００２４】
従って、例えば、操作部８を備えた略長方形状の本体部と、略長方形状のディスプレイ部９を備えた略長方形状の重合部とを、前記操作部８を操作しないときにはこの操作部８を覆うように重合配設し、この重合した状態から前記重合部を本体部の長さ方向に沿って相対的に重合面に対して略平行にスライド移動して操作部８を露出させることができるようにした携帯電話などの電子機器が従来から実施されているが、このような電子機器の前記本体部（第一部材１若しくは第二部材２）と前記重合部（第二部材２若しくは第一部材１）とを連結するスライド装置Ｓとして本発明のスライド装置Ｓを採用すると、本体部に対して重合部を一方向と他方向との異なる直交二方向にスライド移動させることができるので、例えば、本体部に対して重合部を一方向へスライド移動させた際には、電話機能などを使用するための通常の操作部８が露出し、本体部に対して重合部を他方向へスライド移動させた際には、他の機能を使用するための特別な操作部８が露出するような二通りの使用態様を選択して使用することができる構造の電子機器を実現可能である。
【００２５】
即ち、例えば、略長方形状のディスプレイ部９の長さ方向の延長方向に、数字キーなどの操作部８（第一操作部８Ａ）が露出して、縦長のディスプレイ部９の下方に第一操作部８Ａが位置することになる電話機能などの操作に適した使用態様（縦画面機能使用時）と、ディスプレイ部９の長さ方向と直交する短方向の延長方向に、ワンセグ視聴時の操作キーやキーボードなどの操作部８（第二操作部８Ｂ）が露出して横長のディスプレイ部９の下方に第二操作部８Ｂが位置することになるワンセグ視聴やキーボードタイピングなどの操作に適した使用態様（横画面機能使用時）とを、切り替えて使用できるような電子器機も簡易に設計実現可能となる。
【００２６】
このように本発明は、利用したい機能などに応じて二通りの使用態様を切り替えて使用することが可能となる実用性に秀れたスライド装置を用いた電子機器を実現できる。
【００２７】
また、例えば、ベース体３に対して第一スライド体４と第二スライド体５の双方をスライド移動させることにより、図５に示すように全ての操作部８（第一操作部８Ａと第二操作部８Ｂ）を露出させることも可能であり、この状態で露出する操作部８に、特別な機能のキー割り当てを設定することで、三通り目の使用態様も実現することになる。
【００２８】
また、本発明によれば、第一部材１（第一スライド体４）と第二部材２（第二スライド体５）との間に介在するベース体３が薄厚形状であるから、第一部材１と第二部材２との間に広い隙間は生じず、よって、重合配設した第一部材１と第二部材２とで成る全体の厚みを薄厚な形状に設計することが容易に可能となる。
【実施例】
【００２９】
本発明の具体的な実施例について図面に基づいて説明する。
【００３０】
本実施例は、図１，図２に示すような略長方形状を呈する第二部材２と略長方形状を呈する第一部材１とがスライド自在に重合するタイプの携帯電話に本発明を適用したもので、様々な表示がなされる液晶パネルなどの略長方形状のディスプレイ部９を上側面に設けた第二部材２（重合部）と、この第二部材２の下側に配設される数字キーやファンクションキーを配列した操作部８（第一操作部８Ａ）を上側面に設けた第一部材１（本体部）とをスライド自在に連結するスライド装置Ｓに関するものである。
【００３１】
本実施例のスライド装置Ｓは、薄厚形状に形成したベース体３の下部に、前記第一部材１に連結する第一スライド体４をこのベース体３に対して一方向にスライド移動自在に設け、前記ベース体３の上部に前記第二部材２に連結する第二スライド体５をこのベース体３に対し前記第一スライド体４のスライド移動方向と直交する他方向にスライド移動自在に設けている。
【００３２】
また、前記ベース体３に、このベース体３の下部に沿設配設した第一スライド体４を支持すると共にこの第一スライド体４をベース体３に対して一方向にスライド移動可能にガイドする第一ガイド部６と、このベース体３の上部に沿設配設した前記第二スライド体５を支持すると共にこの第二スライド体５をベース体３に対して前記第一スライド体４のスライド移動方向と直交する他方向にスライド移動可能にガイドする第二ガイド部７を設けた構成としている。
【００３３】
以下、具体的に説明すると、本実施例のベース体３は、細帯板状に構成している。
【００３４】
また、このベース体３は、図２に示すように、その長さ方向の両側縁部を直角に下方へ折曲した上、夫々の折曲先端を水平外方へ折曲した薄厚形状に構成し、このベース体３下部両側の水平折曲先端部を、前記第一スライド体４がスライド自在に係合するスライド係合部６Ｂとしている。
【００３５】
また、本実施例の第一スライド体４は、前記ベース体３よりもやや幅（長さ方向と直交する方向の幅）のある細帯板状に構成している。
【００３６】
また、この第一スライド体４は、図２に示すように、その長さ方向の両側縁部を夫々上方へ折曲すると共に、この各折曲両側縁を互いに対向する形状の断面コ字状に折曲形成して、この両側のコ字形部分を前記ベース体３の前記スライド係合部６Ｂが係合するガイドレール部６Ａとしている。
【００３７】
そして、本実施例では、このスライド係合部６Ｂとガイドレール６Ａとを係合することで、ベース体３の下方に第一スライド体４を重合状態にしてスライド移動自在に支持し、更に、このガイドレール部６Ａを、スライド係合部６Ｂの長さ方向の両端部位置で適宜な抜け止め手段により抜け止め状態に設けて、この第一スライド体４をベース体３に対してその長さ方向（一方向）に往復スライド移動自在となる前記第一ガイド部６を構成している。図中符号11はスライド係合部６Ｂに設けた抜け止め突起である。
【００３８】
また、本実施例では、前記ベース体３の中程より一端側（図３において上側）に、このベース体３の長さ方向に沿って間隔を置いた二箇所を上方へ切り起こし形成し、図２に示すように、この各切り起こし片を互いに対向する形状の断面コ字状に折曲形成して、このベース体３上部の各折曲切り起こし片を、前記第二スライド体５をスライド自在にガイドするガイドレール部７Ａとしている。
【００３９】
また、本実施例の第二スライド体５は、前記ベース体３，前記第一スライド体４よりも幅広な帯板状に構成している。
【００４０】
また、この第二スライド体５は、その長さ方向の両側縁部を直角に下方へ折曲し、夫々の折曲先端を水平外方へ折曲した構成として、この第二スライド体５下部両側の水平折曲先端部を、前記ベース体３の前記ガイドレール部７Ａにスライド自在に係合するスライド係合部７Ｂとしている。
【００４１】
そして、本実施例では、このガイドレール部７Ａとスライド係合部７Ｂとを係合することで、ベース体３の上方に第二スライド体５を重合状態にしてスライド移動自在に支持し、更に、このガイドレール部７Ａをスライド係合部７Ｂの両端部位置で適宜な抜け止め手段により抜け止め状態に設けて、この第二スライド体５をベース体３に対してその長さ方向と直交する方向（他方向）に往復スライド移動自在となる前記第二ガイド部７を構成している。図中符号12はスライド係合部７Ｂに設けた抜け止め突起である。
【００４２】
また、本実施例では、ガイドレール部６Ａ・７Ａに、スライド係合部６Ｂ・７Ｂをガタつきなくスムーズにスライド移動させる補助ガイド体10を付設した構成としている。
【００４３】
本実施例では、この第一スライド体４を、適宜な固定手段により前記第一部材１の上側面に取付固定している。この第一スライド体４の第一部材１上側面への固定位置は、略長方形状をなす第一部材１の図３において右上位置に縦設状態にして固定している。
【００４４】
また、この第一スライド体４の固定位置を除いた第一部材１の上側面に、操作部８としての操作キーを多数配列した場合を示しているが、第一スライド体４を前記したように細帯状に形成したため、第一部材１の上側面には広い操作部８形成スペースが生まれ、多数の操作キーを形成できることになる。
【００４５】
本実施例では、第一部材１の上側面の、図５において下側の所定範囲に数字キーなどを配列した第一操作部８Ａを形成し、同図において第一操作部８Ａより上側であって左側の所定範囲にキーボード配列の文字キーを配列した第二操作部８Ｂを形成した場合を示している。
【００４６】
また、本実施例では、前記第二スライド体５を、適宜な固定手段により前記第二部材の下側面に取付固定している。この第二スライド体５の第二部材２下側面への固定位置は、略長方形状をなす第二部材２の図３において上側位置に横設状態にして固定している。
【００４７】
また、本実施例では、重合するベース体３と第一スライド体４と第二スライド体５とによる厚みが４.０〜５.０ｍｍ程度となるように各部材の厚みを設定構成し、これにより第一部材１と第二部材２との間に広い隙間は生じず、重合配設した第一部材１と第二部材２とで成る全体の厚みを薄厚な形状に設計することが可能となるように構成している。
【００４８】
次に、このように構成した本実施例の操作方法を説明する。
【００４９】
第一部材１と第二部材２とが重合した状態では、操作部８が露出せず、ディスプレイ部９だけが表出した閉塞状態となっている（図１参照。）。
【００５０】
縦画面機能使用時は、図３に示すように、第一部材１に対してこの第一部材１の長さ方向の延長方向（一方向）へ第二部材２をスライド移動させると（図３中矢印のように第一スライド体４に対してベース体３を図面上方へスライド移動させると）、縦画面方向としたディスプレイ部９の下方に、電話機能などを使用するための数字キーなどが配列された通常の操作部８（第一操作部８Ａ）が露出する。
【００５１】
また、横画面機能使用時は、図４に示すように、第一部材１と第二部材２とが重合した状態から、第一部材１に対してこの第一部材１の長さ方向と直交する短方向の延長方向（他方向）へ第二部材２をスライド移動させると（第一部材１と第二部材２を横にした状態で図４中矢印のようにベース体３に対して第二スライド体５を図面上方へスライド移動させると）、横画面方向としたディスプレイ部９の下方に、操作部８として文字キーが配列されたキーボード（第二操作部８Ｂ）が露出する。また、この際、前記第一操作部８Ａの一部も露出するので、この一部露出する第一操作部８Ａに、横画面機能の操作キーを割り当てるようにすることも可能である。
【００５２】
このように本実施例は、利用したい機能に応じて二通りの使用態様を切り替えて使用することが可能である。
【００５３】
即ち、例えば、略長方形状のディスプレイ部９の長さ方向の延長方向に数字キーなどの第一操作部８Ａが露出して、縦長のディスプレイ部９の下方に第一操作部８Ａが位置することになる電話機能などの操作に適した使用態様（縦画面機能使用時）と、ディスプレイ部９の長さ方向と直交する短方向の延長方向にキーボードなどの第二操作部８Ｂが露出して横長のディスプレイ部９の下方に第二操作部８Ｂが位置することになるキーボードタイピングなどの操作に適した使用態様（横画面機能使用時）とを、切り替えて使用できる電子器機を簡易に設計実現可能となる。
【００５４】
また、ベース体３に対して第一スライド体４と第二スライド体５の双方をスライド移動させることにより、図５に示すように全ての操作部８（第一操作部８Ａと第二操作部８Ｂ）を露出させることも可能である。この図５の状態で露出する第一操作部８Ａと第二操作部８Ｂに特別な機能のキー割り当てを設定することで、三通り目の使用態様も実現可能である。尚、この場合、図５では縦画面を図示しているが、もちろん横画面で使用できるようにしても良い。
【００５５】
尚、本発明は、本実施例に限られるものではなく、各構成要件の具体的構成は適宜設計し得るものである。
【００５６】
例えば、本実施例では、通常の操作部８と異なる機能を操作する第二操作部８Ｂとして第一部材１の上側面にキーボード配列の文字キーを採用した場合を示したが、例えば、ワンセグ機能を有する場合にはワンセグ視聴用の操作キーを採用しても良いし、操作部８でなくサブディスプレイのような小型ディスプレイを設ける構成を採用しても良い。
【図面の簡単な説明】
【００５７】
【図１】本実施例の携帯電話に組み込まれたスライド装置を示す説明斜視図である。
【図２】本実施例のスライド装置の分解斜視図である。
【図３】本実施例の第二部材を第一部材に対して一方向にスライド移動させた状態の説明平面図である。
【図４】本実施例の第二部材を第一部材に対して他方向にスライド移動させた状態を示す説明平面図である。
【図５】本実施例の第二部材を第一部材に対して一方向と他方向の双方へスライド移動させた状態を示す説明平面図である。
【符号の説明】
【００５８】
１  第一部材
２  第二部材
３  ベース体
４  第一スライド体
５  第二スライド体
６  第一ガイド部
６Ａ  ガイドレール部
６Ｂ  スライド係合部
７  第二ガイド部
７Ａ  ガイドレール部
７Ｂ  スライド係合部
８  操作部
８Ａ  第一操作部
８Ｂ  第二操作部
９  ディスプレイ部
Ｓ  スライド装置
【図１】
2008283272.tif 000003
【図２】
2008283272.tif 000004
【図３】
2008283272.tif 000005
【図４】
2008283272.tif 000006
【図５】
2008283272.tif 000007